(57)【要約】【課題】プリプレグ積層体１の曲げ加工を安定化させて、その精度を向上させる。【解決手段】成形装置Ａは、マンドレル５の角部５１に隣接して配置されて積層体１に相対すると共に、マンドレル５に対し相対移動が可能な規制型６を備える。加熱手段６２により積層体１を加熱しつつ、膨張性バッグ３を膨張させて積層体１に対する曲げ加工をしている最中に、規制型６をマンドレル５に対して相対的に移動させることによって、積層体１の端縁側部分の位置を規制型６により規制する。【選択図】図３
2007253441.tif 000002
【特許請求の範囲】
【請求項１】
プリプレグ積層体に曲げ加工を施す成形装置であって、
チャンバと、
前記チャンバ内において前記積層体に対向して設置される、少なくとも１の角部を有するマンドレルと、
前記積層体を加熱する加熱手段と、
前記マンドレルに対し前記積層体を挟んだ逆側に配置され、前記チャンバ内で膨張することによって、該積層体を該マンドレルに押し付ける膨張性バッグと、
前記マンドレルの角部に隣接して配置されて前記積層体に相対すると共に、該マンドレルに対し相対移動が可能な規制型と、を備え、
前記加熱手段により積層体を加熱しつつ、前記膨張性バッグを膨張させて前記積層体に対する曲げ加工をしている最中に、前記規制型を前記マンドレルに対して相対的に移動させることによって、前記積層体を前記マンドレルの角部によって曲げると共に、前記積層体の端縁側部分の位置を前記規制型によって規制する成形装置。
【請求項２】
請求項１に記載の成形装置において、
前記マンドレルは、上向きに設置され、
前記積層体は、前記マンドレルの上面及び規制型の上面に載置され、
前記規制型は、前記マンドレルに対して相対的に下方に移動する成形装置。
【請求項３】
請求項１又は２に記載の成形装置において、
前記加熱手段は、前記規制型に設けられている成形装置。
【請求項４】
請求項１〜３のいずれか１項に記載の成形装置において、
前記規制型の移動速度を調整する調整手段をさらに備えている成形装置。
【請求項５】
請求項１〜４のいずれか１項に記載の成形装置において、
前記膨張性バッグの膨張速度を変更する変更手段をさらに備えている成形装置。
【請求項６】
請求項１〜５のいずれか１項に記載の成形装置において、
前記チャンバ内を減圧する及び／又は前記膨張性バッグ内に加圧流体を供給することによって、前記膨張性バッグを膨張させる膨張手段をさらに備えている成形装置。
【請求項７】
請求項６に記載の成形装置において、
前記膨張手段は、前記膨張性バッグ内に非圧縮性流体を供給する成形装置。
【請求項８】
請求項１〜７のいずれか１項に記載の成形装置において、
前記マンドレルは、２つの角部を有し、それによって前記積層体をＣ型断面に成形する型であり、
前記膨張性バッグ及び規制型は、前記マンドレルを挟んだ両側位置のそれぞれに配置されている成形装置。
【請求項９】
請求項１〜７のいずれか１項に記載の成形装置において、
前記マンドレルは、前記チャンバ内で、複数個並んで配置され、
前記各マンドレルは、２つの角部を有し、それによって前記積層体をＣ型断面に成形する型であり、
前記規制型は、前記各マンドレルの両側位置それぞれに配置されている成形装置。
【請求項１０】
プリプレグ積層体と、少なくとも１の角部を有するマンドレルと、を所定の位置に配置する工程と、
前記積層体を加熱する工程と、
前記積層体を前記マンドレルに押し付けることによって、該積層体に曲げ加工を施す工程と、
前記曲げ加工をしている最中に、前記マンドレルの角部に隣接して配置した規制型を該マンドレルに対して相対的に移動することによって、前記積層体を前記マンドレルの角部によって曲げると共に、前記積層体の端縁側部分の位置を前記規制型によって規制する工程と、を含む成形方法。
【発明の詳細な説明】
【技術分野】
【０００１】
本発明は、プリプレグ積層体の成形装置及び成形方法に関するものである。
【背景技術】
【０００２】
テープ積層装置等によりプリプレグが積層されて形成されたプリプレグ積層体を所定の形状に成形する方法の１つとして、ドレープ成形が知られている。例えば特許文献１には、その成形装置が開示されており、この装置は、熱源を有するチャンバと、その内部に配置されたマンドレル及び膨張性バッグとを備えている。この成形装置では、チャンバ内を減圧することによって大気に連通した膨張性バッグを膨張させることにより、加熱したプリプレグ積層体をマンドレルに押し付ける。これによって、前記成形装置は、板状のプリプレグ積層体に対して曲げ加工を施し、その断面をＣ型形状にしている。
【特許文献１】特表平１０−５０７６９７号公報
【発明の開示】
【発明が解決しようとする課題】
【０００３】
ところで、プリプレグ積層体は各層が伸縮しないことから、そのプリプレグ積層体を曲げるときには、その曲げ加工の実行中に、各層の曲げと、層間の滑りとが同時に発生する。しかしながら、前記の成形装置では、プリプレグ積層体がマンドレルの角部において曲がるように、その方向の力のみをプリプレグ積層体に加えているため、各層の曲げ変形が優先し、層間の滑りがその曲げ変形に対して遅れてしまう。このことによって、成形が不十分になったり、内部欠陥や残留応力が発生したりする場合がある。
【０００４】
本発明は、かかる点に鑑みてなされたものであり、その目的とするところは、プリプレグ積層体の曲げ加工を安定化させて、その精度を向上させることにある。
【課題を解決するための手段】
【０００５】
本発明の成形装置は、プリプレグ積層体に曲げ加工を施す成形装置である。
【０００６】
この成形装置は、チャンバと、前記チャンバ内において前記積層体に対向して設置される、少なくとも１の角部を有するマンドレルと、前記積層体を加熱する加熱手段と、前記マンドレルに対し前記積層体を挟んだ逆側に配置され、前記チャンバ内で膨張することによって、該積層体を該マンドレルに押し付ける膨張性バッグと、前記マンドレルの角部に隣接して配置されて前記積層体に相対すると共に、該マンドレルに対し相対移動が可能な規制型と、を備える。
【０００７】
そして、前記成形装置は、前記加熱手段により積層体を加熱しつつ、前記膨張性バッグを膨張させて前記積層体に対する曲げ加工をしている最中に、前記規制型を前記マンドレルに対して相対的に移動させることによって、前記積層体を前記マンドレルの角部によって曲げると共に、前記積層体の端縁側部分の位置を前記規制型によって規制する。
【０００８】
この構成によると、チャンバ内において、マンドレルに隣接して規制型が配置されており、膨張性バッグを膨張させてプリプレグ積層体をマンドレルに押し付けたときには、その積層体は規制型にも押し付けられる。それによって、積層体の端縁側部分の位置が規制されるから、積層体には、マンドレルの角部によって曲げられる第１曲げ箇所と、規制型によって曲げられる第２曲げ箇所とが形成されると共に、その第２曲げ箇所は第１曲げ箇所とは逆向きの曲げとなる。
【０００９】
そして、前記規制型をマンドレルに対して相対的に移動させることによって、第２曲げ箇所は積層体の端縁に向かって変位し、その規制型が積層体から離れることによって第２曲げ箇所が消滅する。そうして、積層体の成形が完了する。
【００１０】
このように、積層体に対する曲げ加工をしている最中に、その積層体に第１曲げ箇所と第２曲げ箇所とを形成することによって、層間滑りは、その第１曲げ箇所と第２曲げ箇所との間で発生し、第１曲げ箇所と第２曲げ箇所との間隔が拡がるに従って、層間滑りが順次進行する。その結果、層間滑りが十分に行われるようになって、積層体が確実に成形されると共に、内部欠陥や残留応力の発生が防止される。
【００１１】
ここで、前記マンドレルは、上向きに設置され、前記積層体は、前記マンドレルの上面及び規制型の上面に載置され、前記規制型は、前記マンドレルに対して相対的に下方に移動する、としてもよい。
【００１２】
こうすることで、積層体は、上向きのマンドレル及び規制型の上面に載置されて、膨張性バッグによって下向きに押し付けられるため、例えば膨張性バッグの膨張に伴い積層体がマンドレルに対してずれたりすることがなく、加工精度の向上が図られる。
【００１３】
前記加熱手段は、前記規制型に設けられている、としてもよい。
【００１４】
規制型は、積層体の曲げ箇所に相当する部分に対向して配置されているため、規制型に加熱手段（加熱源）を設けることによって、積層体の曲げ箇所が効果的に加熱される。
【００１５】
前記成形装置は、前記規制型の移動速度を調整する調整手段をさらに備えている、としてもよい。また、前記成形装置は、前記膨張性バッグの膨張速度を変更する変更手段をさらに備えている、としてもよい。
【００１６】
規制型の移動速度や、膨張性バッグの膨張速度を調整、変更することによって、積層体の加工精度を向上させる上で有利になる。
【００１７】
前記成形装置は、前記チャンバ内を減圧する及び／又は前記膨張性バッグ内に加圧流体を供給することによって、前記膨張性バッグを膨張させる膨張手段をさらに備えている、としてもよい。つまり、チャンバ内を減圧し大気圧によって膨張性バッグを膨張させて積層体に圧力を加えるようにしてもよい。また、膨張性バッグに加圧流体を供給し、それによって膨張性バッグを膨張させて積層体に圧力を加えるようにしてもよい。加圧流体を供給する場合は、積層体に対して大気圧以上の圧力を加えることが可能になる。
【００１８】
前記膨張手段は、前記膨張性バッグ内に非圧縮性流体を供給する、としてもよい。
【００１９】
膨張性バッグに供給する流体を、非圧縮性流体とすることによって、流体の供給量に対する、積層体に加えられる圧力の関係が線形になり、積層体に加える圧力の制御性が向上する。
【００２０】
前記マンドレルが、２つの角部を有し、それによって前記積層体をＣ型断面に成形する型である場合は、前記膨張性バッグ及び規制型は、前記マンドレルを挟んだ両側位置のそれぞれに配置されている、としてもよい。
【００２１】
前記マンドレルは、前記チャンバ内で、複数個並んで配置され、前記規制型は、各マンドレルの両側位置それぞれに配置されている、としてもよい。これにより、生産性が向上する。
【００２２】
本発明の成形方法は、プリプレグ積層体とマンドレルとを所定の位置に配置する工程と、前記積層体を加熱する工程と、前記積層体を前記マンドレルに押し付けることによって、該積層体に曲げ加工を施す工程と、前記曲げ加工をしている最中に、前記マンドレルの角部に隣接して配置した規制型を該マンドレルに対して相対的に移動することによって、前記積層体を前記マンドレルの角部によって曲げると共に、前記積層体の端縁側部分の位置を前記規制型によって規制する工程と、を含む。
【００２３】
この方法によると、積層体に対して曲げ加工をしている最中に、積層体の端縁側部分の位置を規制型によって規制することで、その積層体に第１曲げ箇所と第２曲げ箇所とを形成することができるから、曲げ変形に対して層間滑りが遅れることなく、層間滑りが安定して行われる。そうして、内部欠陥や残留応力の発生を防止しつつ、積層体の加工精度の向上が図られる。
【発明の効果】
【００２４】
以上説明したように、本発明の成形装置及び成形方法によると、積層体に対して曲げ加工をしている最中に、積層体の端縁側部分の位置を規制型によって規制することで、その積層体に第１曲げ箇所と第２曲げ箇所とを形成することができ、それによって、曲げ変形及び層間滑りをそれぞれ十分に発生させることができる。その結果、プリプレグ積層体の加工精度を向上させることができる。
【発明を実施するための最良の形態】
【００２５】
以下、本発明の実施形態を図面に基づいて詳細に説明する。
【００２６】
（実施形態１）
図１，２は、本発明の実施形態に係る成形装置Ａを示している。この成形装置Ａは、例えば航空機の翼を形成するスパー等に用いるために、長尺のプリプレグ積層体１をＣ型断面に成形する装置である。尚、以下においては、図１における左右方向を長手方向と呼び、図２における左右方向を左右方向と呼ぶ。
【００２７】
この成形装置Ａは、ハウジング２１と、ハウジング２１の上端開口を開閉する蓋２２とからなるチャンバ２を備えている。このチャンバ２は、後述するようにその内部が減圧される真空チャンバであり、ハウジング２１と蓋２２との間にはシール２３が介設されている。
【００２８】
前記蓋２２には、その長手方向の両端部それぞれに開口部２２ａが形成されており、この開口部２２ａには、膨張性バッグ３が取り付けられている。膨張性バッグ３は両端開口の筒状であって、その各開口が、前記蓋２２の開口部２２ａに対して固定されている。これによって、膨張性バッグ３内は大気に連通している。
【００２９】
前記ハウジング２１内には、その左右方向の中央位置に設置部２１ａが設けられており、この設置部２１ａには、マンドレル５が設置される。
【００３０】
マンドレル５は、前述したように、板状の積層体１の左右両側部を折曲してＣ型断面にするための成形型であり、その左右の両側部それぞれに角部５１，５１を含む所定形状を有している。マンドレル５は、ハウジング２１内において上向きに配置されており、それによって、積層体１はマンドレル５の上面に対して載置される。
【００３１】
マンドレル５を挟んだ左右両側にはそれぞれ、規制型６が配置されている。各規制型６は、長手方向に延びる板状であり、その外側部に上方に起立する起立壁を含む断面Ｌ字状を有している。各規制型６の上面は、後述するように、積層体１に当接して積層体１を曲げる規制面６１として機能する。また、各規制型６内には、前記積層体１を加熱するヒータ６２が内蔵されている。
【００３２】
各規制型６の下面には、下方に延びる連結棒６３が取り付けられている。連結棒６３は、前記ハウジング２１の底部に貫通形成された貫通孔を通って、チャンバ２の下方に突出しており、その下端は、チャンバ２の下方に配置された基台６４に固定されている。また、チャンバ２の下面と基台６４との間には、連結棒６３を囲むようにベローズ６５が取り付けられている。
【００３３】
チャンバ２内は真空ポンプ９４に連通しており、その連通経路として第１及び第２の２つの経路が並列に設けられている。この内、第１経路には第１のバルブ９１が介設されている一方、第２経路には第２のバルブ９２とスピードコントローラ９３とが介設されている。第１及び第２のバルブ９１，９２は選択的に開けられるバルブであって、第１又は第２のバルブ９１，９２を開けて経路を切り換えることによって、チャンバ２内の空気の吸引速度、換言すれば膨張性バッグ３の膨張速度が変更されるように構成されている。
【００３４】
尚、図２における符号２４は、ハウジング２１内の長手方向の両端部に配置されたスペーサである。
【００３５】
成形装置Ａは、前記の構成により、真空ポンプ９４を駆動させてチャンバ２内を減圧したときには、大気に連通している膨張性バッグ３がチャンバ２内で膨張する。そうして、積層体１がマンドレル５に押し付けられることになる。そのときに、前記各規制型６は、その規制面６１がマンドレル５の上面と略一致する位置から、図１に一点鎖線で示すように、膨張性バッグ３の膨張に伴いマンドレル５に対して相対的に下方に移動するようになっている。尚、図１では、各規制型６及び基台６４が、チャンバ２に対して下方に移動するように描いているが、実際は、チャンバ２が基台６４に対して上方に移動することになる。従って、マンドレル５が上方に移動することで、各規制型６がマンドレル５に対し相対的に下方に移動するようになっている。
【００３６】
次に、図３を参照しながら、前記構成の成形装置Ａによる成形プロセスについて説明する。
【００３７】
先ず、チャンバ２の蓋２２を開けてプリプレグ積層体１をマンドレル５及び規制型６の上に載置し、蓋２２を閉めて積層体１のセットを完了する（同図のＰ１参照）。そして、ヒータ６２によって積層体１を加熱しつつ、真空ポンプ９４の駆動を開始すると共に第２のバルブ９２を開けてチャンバ２内の減圧を開始する。それによって、膨張性バッグ３が膨張し始める。
【００３８】
膨張性バッグ３の膨張によって、積層体１がマンドレル５に押さえつけられて角部５１において曲がり始めるが、積層体１の左右両端部は規制型６に当接することによってその位置が規制され、それによって積層体１の左右両端部は逆向きに曲げられる。そうして、積層体１に、マンドレルの角部５１によって曲げられる第１曲げ箇所と、規制型６によって曲げられる第２曲げ箇所とが形成される（同図のＰ２参照）。
【００３９】
規制型６は膨張性バッグ３の膨張に伴いマンドレル５に対して相対移動し、第２曲げ箇所は、積層体１の端縁に向かって移動する。
【００４０】
規制型６が最下位置まで相対移動すれば積層体１から離れるようになり、第２曲げ箇所も消滅する。それによって、積層体１がＣ型断面に成形される（同図のＰ３参照）。またその状態で、第２のバルブ９２を閉じると共に、第１のバルブ９１を開けることによって、吸引速度を高める。そうして膨張性バッグ３を十分に膨張させ、積層体１の成形が完了する。
【００４１】
このように、前記成形装置Ａでは、マンドレル５に隣接して規制型６を配置することによって、積層体１に対する曲げ加工をしている最中に、積層体１に第１曲げ箇所と第２曲げ箇所とを形成することができる。このことによって、層間滑りは、その第１曲げ箇所と第２曲げ箇所との間で発生し、第１曲げ箇所と第２曲げ箇所との間隔が拡がるに従って、層間滑りが順次進行する。その結果、層間滑りが十分に行われるようになって、積層体１が確実に成形されると共に、内部欠陥や残留応力の発生が防止される。
【００４２】
また、前記成形装置Ａは、マンドレル５を上向きに設置して、積層体１をそのマンドレル５の上面及び規制型６の上面に載置するため、例えば膨張性バッグ３の膨張に伴い積層体１がマンドレル５に対してずれたりすることがなく、加工精度の向上が図られる。
【００４３】
さらに、前記成形装置Ａでは、規制型６にヒータ６２を内蔵しているため、積層体１の曲げ箇所を効果的に加熱することができる。
【００４４】
また、成形開始時は、第２のバルブ９２を開けて吸引速度（膨張性バッグの膨張速度）を比較的低下させることによって、積層体１を略一定の速度で曲げることが可能になる一方、成形終了時は、第２のバルブ９２を開けて吸引速度（膨張性バッグ３の膨張速度）を比較的高めることによって、積層体１を確実に曲げて加工精度を向上させることができる。
【００４５】
（実施形態２）
図４は、実施形態２に係る成形装置Ｂを示している。この成形装置Ｂは、規制型６の移動を制御可能に構成されている。尚、図４において、実施形態１に係る成形装置Ａと同じ構成については、同じ符号を付して適宜その説明を省略する。
【００４６】
チャンバ２は、その左右両側部が支持壁２５，２５によって支持されており、この成形装置Ｂでは、チャンバ２（マンドレル５）は上下に移動せず、各規制型６が上下に移動する。
【００４７】
各規制型６に取り付けられた連結棒６３は、その下端がチャンバ２の下方に配置された昇降板６６に取り付けられている。昇降板６６の左右両側部には、前記支持壁２５，２５に当接してこの支持壁２５，２５に沿って上下に案内されるガイドローラ６６ａ，６６ａが取り付けられている。これら２つのガイドローラ６６ａ，６６ａ間には、回転を同期させる同期チェーン６６ｂが巻き掛けられている。また、昇降板６６の左右方向の中央位置には、上下方向に延びるボールねじ６７が貫通しており、このボールねじ６７には、昇降板６６に固定されているナット６８が外嵌している。
【００４８】
前記ボールねじ６７は、その上端が前記チャンバ２の下面に取り付けられた軸受け６９ａに回転可能に支持されていると共に、その下端は床面に設置された軸受け６９ｂに回転可能に支持されている。ボールねじ６７の下端部には、従動プーリ７４が固定されており、この従動プーリ７４は、モータ７１の駆動軸に取り付けられた駆動プーリ７２に対してベルト７３を介して駆動連結されている。これによって、モータ７１を駆動したときには、ボールねじ６７が回転し、それに伴い昇降板６６を介して左右の規制型６，６が下方又は上方に移動する。
【００４９】
また、チャンバ２の蓋２２には、実施形態１のものとは異なり、左右両側のそれぞれに開口部２２ａ，２２ａが形成されていて、その各開口部２２ａに対して膨張性バッグ３が取り付けられている。従って、実施形態２の成形装置Ｂでは、２つの膨張性バッグ３，３が、マンドレル５を挟んだ両側位置それぞれに配置されている。
【００５０】
また、前記蓋２２の下面には、その左右の中央位置に下方に突出する押さえ２２ｂが一体に形成されており、この押さえ２２ｂは、蓋２２を閉めた状態において、積層体１をマンドレル５に対して押さえつける機能を果たす。
【００５１】
この成形装置Ｂでは、各膨張性バッグ３に対して加圧流体を供給することによって、各膨張性バッグ３をチャンバ２内で膨張させるように構成されており、ここでは、加圧気体を供給する加圧ブロアー９５が各膨張性バッグ３に接続されている。
【００５２】
この構成の成形装置Ｂによる成形プロセスは、実施形態１の成形装置Ａによる成形プロセスとほぼ同じである。
【００５３】
つまり、先ず、チャンバ２の蓋２２を開けてプリプレグ積層体１をマンドレル５及び規制型６の上に載置し、蓋２２を閉めて積層体１のセットを完了する。そして、ヒータ６２により積層体１を加熱しつつ加圧ブロアー９５の駆動を開始し、膨張性バッグ３を膨張させる。また、モータ７１を駆動させて、規制型６を徐々に下方に移動させる。
【００５４】
そうして、積層体１に対する曲げ加工をしている最中に、積層体１に第１曲げ箇所と第２曲げ箇所とを形成すると共に、その第２曲げ箇所を積層体１の端縁に向かって変位させる。
【００５５】
そして、前記規制型６が最下位置まで移動すれば、積層体１の成形が完了する。
【００５６】
このように、成形装置Ｂにおいても、積層体１に対する曲げ加工をしている最中に、積層体１に第１曲げ箇所と第２曲げ箇所とを形成することができる。このため、曲げ変形と共に層間滑りが十分に行われるようになって、積層体１が確実に成形されると共に、内部欠陥や残留応力の発生が防止される。
【００５７】
また、成形装置Ｂでは、規制型６の移動速度が調整可能であるため、成形プロセス中に規制型６の移動速度を適宜調整することによって、積層体１の成形精度を向上させることができる。また、必要に応じて、加圧ブロアーの駆動制御を行うことによって、膨張性バッグの膨張速度を変更してもよい。
【００５８】
（他の実施形態）
本発明は、上記の構成に限定されるものではなく、その他種々の実施形態を含むものである。
【００５９】
つまり、上記各実施形態では、チャンバ２内に１つのマンドレル５を配置しているが、例えば図５に示すように、チャンバ２内に、２以上のマンドレル５を配置してもよい。この成形装置Ｃは、チャンバ２内に２つのマンドレル５，５が並んで配置されていると共に、その各マンドレル５の左右両側に、規制型６が配置されている。尚、２つのマンドレル５，５間の規制型６は、２つの積層体１，１のそれぞれに当接して、その曲げを規制する。
【００６０】
また、チャンバ２の蓋２２には、左右両側のそれぞれと、中央部に開口部２２ａ，２２ａ，２２ａが形成されていて、その各開口部２２ａに対して膨張性バッグ３が取り付けられている。従って、この成形装置Ｃでは、３つの膨張性バッグ３，３，３が、マンドレル５を挟んだ両側位置それぞれに配置されている。
【００６１】
この構成の成形装置Ｃでは、２つの積層体１，１それぞれに対して曲げ加工を行うことができるため、生産性を向上させる上で有利である。
【００６２】
また、実施形態１の成形装置Ａにおいて、膨張性バッグ３を実施形態２のように２つにしてもよいし、実施形態２の成形装置Ｂにおいて、膨張性バッグ３を実施形態１のように１つにしてもよい。また、図５の成型装置Ｃにおいて、膨張性バッグ３を実施形態１のように１つにしてもよい。
【００６３】
また、成形装置としては、実施形態１の成形装置Ａのようにチャンバ２内を減圧することと、実施形態２の成形装置Ｂのように膨張性バッグ３に加圧流体を供給することと、を組み合わせてもよい。
【００６４】
また、実施形態２の成形装置Ｂのように膨張性バッグ３に加圧流体を供給する場合に、その加圧流体を非圧縮性流体としてもよい。こうすることで、膨張性バッグ３への流体の供給量と、積層体１に加わる圧力とが線形化し、積層体１に加える圧力の制御性が向上する。
【００６５】
また、実施形態２のように規制型６の移動速度を調整する機構としては、図示は省略するが、昇降板６６と床面との間に圧縮ばねを配置して、昇降板６６（規制型６）に対して上方に付勢する力を加えるようにしてもよい。
【産業上の利用可能性】
【００６６】
以上説明したように、本発明は、マンドレルに隣接して、このマンドレルに対し相対移動する規制型を配置することで、積層体に第１及び第２の曲げ箇所を形成することができ、それによって、その成形精度を高めることができるから、プリプレグ積層体を成形する装置及び方法として有用である。
【図面の簡単な説明】
【００６７】
【図１】実施形態１に係る成形装置を示す図２のＩ−Ｉ断面図である。
【図２】図１のII−II断面図である。
【図３】成形装置による成形プロセスを示す説明図である。
【図４】実施形態２に係る成形装置を示す図１対応図である。
【図５】他の実施形態に係る成形装置を示す図１対応図である。
【符号の説明】
【００６８】
Ａ，Ｂ，Ｃ  成形装置
１    積層体
２    チャンバ
３    膨張性バッグ
５    マンドレル
５１  角部
６７  ボールねじ（調整手段）
６    規制型
６２  ヒータ（加熱手段）
６８  ナット（調整手段）
７１  モータ（調整手段）
９１  第１のバルブ（変更手段、調整手段）
９２  第２のバルブ（変更手段、調整手段）
９３  スピードコントローラ（変更手段、調整手段）
９４  真空ポンプ（膨張手段、変更手段）
９５  加圧ブロアー（膨張手段）
【図１】
2007253441.tif 000003
【図２】
2007253441.tif 000004
【図３】
2007253441.tif 000005
【図４】
2007253441.tif 000006
【図５】
2007253441.tif 000007